(57)【要約】  ディスプレイドライバが開示される。ディスプレイドライバは、表示パネル（ＤＰ）に関する第１アナログ状態についての第１のガンマ曲線を定義する初期の複数の制御点（ＣＰｓ）を記憶するメモリと、初期のＣＰｓに基づいて、ＤＰに関する第２アナログ状態についての計算されたＣＰｓを生成するＣＰ計算回路部と、マルチプレクサ回路部であり、計算されたＣＰｓと、第２のガンマ曲線を定義する補助のＣＰｓと、画像の領域の輝度を特定するスイッチング信号と、を入力し、スイッチング信号に基づいて選択されたＣＰｓを出力するマルチプレクサ回路部と、ガンマ曲線計算回路部であり、画像の領域に関するデータ値を入力し、選択されたＣＰｓに基づいて、出力ガンマ曲線のうちデータ値の近傍の部位を生成し、データ値と、出力ガンマ曲線と、に基づいて画像の領域をＤＰに表示するための電圧データを出力する、ガンマ曲線計算回路部と、を備える。
2021503616.tif 000002
【特許請求の範囲】
【請求項１】
表示パネルに関する第１アナログ状態についての第１のガンマ曲線を定義する初期の複数の制御点（ＣＰｓ）を記憶するように構成されたメモリと、
前記初期のＣＰｓに基づいて、前記表示パネルに関する第２アナログ状態についての計算されたＣＰｓを生成するように構成されたＣＰ計算回路部と、
マルチプレクサ回路部であり、
前記計算されたＣＰｓと、第２のガンマ曲線を定義する補助のＣＰｓと、画像の領域の輝度を特定するスイッチング信号と、を入力し、
前記スイッチング信号に基づいて、前記計算されたＣＰｓと、前記補助のＣＰｓと、から選択されたＣＰｓを出力する、
ように構成されたマルチプレクサ回路部と、
ガンマ曲線計算回路部であり、
前記画像の前記領域に関するデータ値を入力し、
前記選択されたＣＰｓに基づいて、出力ガンマ曲線のうち前記データ値の近傍の部位を生成し、
前記データ値と、前記出力ガンマ曲線と、に基づいて前記画像の前記領域を前記表示パネルに表示するための電圧データを出力する、
するように構成されたガンマ曲線計算回路部と、
を備えるディスプレイドライバ。
【請求項２】
前記領域が、前記画像のピクセルを含む、
請求項１のディスプレイドライバ。
【請求項３】
前記スイッチング信号が前記画像の前記領域を低輝度であると特定することに応じて、前記選択されたＣＰｓが前記計算されたＣＰｓである、
請求項１のディスプレイドライバ。
【請求項４】
前記スイッチング信号が前記画像の前記領域を高輝度であると特定することに応じて、前記選択されたＣＰｓが前記補助のＣＰｓである、
請求項１のディスプレイドライバ。
【請求項５】
前記電圧データに基づいて、前記表示パネルにアナログ電圧信号を出力するように構成されたデジタルアナログ交換器（ＤＡＣ）を更に備え、
前記ＤＡＣが、前記第１アナログ状態の間は第１出力電圧域で作動し、前記第２アナログ状態の間は第２出力電圧域で作動する、ように構成されている、
請求項１のディスプレイドライバ。
【請求項６】
前記ＣＰ計算回路部が、前記第１出力電圧域と、前記第２出力電圧域と、に基づいて前記初期のＣＰｓを改変することにより前記計算されたＣＰｓを生成するように更に構成されている、
請求項５のディスプレイドライバ。
【請求項７】
前記ＣＰ計算回路部が、前記第１出力電圧域の第１最低電圧と、前記第２出力電圧域の第２最低電圧と、に基づいて前記初期のＣＰｓを改変することにより、前記計算されたＣＰｓを生成するように更に構成されている、
請求項６のディスプレイドライバ。
【請求項８】
前記ＣＰ計算回路部が、前記第１出力電圧域の第１最高電圧と、前記第２出力電圧域の第２最高電圧と、に基づいて前記初期のＣＰｓを改変することで、前記計算されたＣＰｓを生成するように更に構成されている、
請求項７のディスプレイドライバ。
【請求項９】
前記第１アナログ状態が、フレーム期間に対する発光期間が第１比率であることを含み、
前記表示パネルが、前記発光期間の間に発光を許可される発光素子を備え、
前記第２アナログ状態が、フレーム期間に対する前記発光期間が第２比率であることを含み、
前記ＣＰ計算回路部が、前記第１比率と、前記第２比率と、に基づき、前記初期のＣＰｓを改変することで前記計算されたＣＰｓを生成するように更に構成されている、
請求項１のディスプレイドライバ。
【請求項１０】
前記ガンマ曲線計算回路部が、前記出力ガンマ曲線の前記部位を、二分検索と、ベジェ計算法と、を用いて計算するように更に構成されている、
請求項１のディスプレイドライバ。
【請求項１１】
表示パネルに関する第１アナログ状態についての第１のガンマ曲線を定義する初期の複数の制御点（ＣＰｓ）を取得し、
前記初期のＣＰｓに基づいて、前記表示パネルに関する第２アナログ状態についての計算されたＣＰｓを生成し、
画像の領域の輝度を特定するスイッチング信号に基づいて、前記計算されたＣＰｓと、第２のガンマ曲線を定義する補助のＣＰｓと、からＣＰｓのセットを選択し、
前記画像の前記領域に関するデータ値を取得し、
前記ＣＰｓのセットに基づいて、出力ガンマ曲線のうち前記データ値の近傍の部位を生成し、
前記データ値と、前記出力ガンマ曲線と、に基づいて前記画像の前記領域を前記表示パネルに表示するための電圧データを出力する、
ことを含む方法。
【請求項１２】
前記スイッチング信号が前記画像の前記領域を低輝度であると特定することに応じて、
前記ＣＰｓのセットが前記計算されたＣＰｓである、
請求項１１の方法。
【請求項１３】
前記計算されたＣＰｓを生成することが、
デジタルアナログ交換器（ＤＡＣ）の第１出力電圧域と、前記ＤＡＣの第２出力電圧域と、に基づいて前記初期のＣＰｓを改変することを含み、
前記ＤＡＣが、前記第１アナログ状態において前記第１出力電圧域で作動するように構成され、
前記ＤＡＣが、前記第２アナログ状態において前記第２出力電圧域で作動するように構成されている、
請求項１１の方法。
【請求項１４】
前記計算されたＣＰｓを生成することが、
前記第１出力電圧域の第１最低電圧と、前記第２出力電圧域の第２最低電圧と、に基づいて、前記初期のＣＰｓを改変することを更に含む、
請求項１３の方法。
【請求項１５】
前記第１アナログ状態が、フレーム期間に対する発光期間が第１比率であることを含み、
前記表示パネルが、前記発光期間の間に発光を許可される発光素子を備え、
前記第２アナログ状態が、フレーム期間に対する前記発光期間が第２比率であることを含み、
前記ＣＰ計算回路部が、前記第１比率と前記第２比率とに基づき、前記初期のＣＰｓを改変することで前記計算されたＣＰｓを生成するように更に構成されている、
請求項１１の方法。
【請求項１６】
前記出力ガンマ曲線の前記部位を計算することが、二分検索と、ベジェ計算法と、を含む、
請求項１１の方法。
【請求項１７】
表示パネルと、
前記表示パネルに関する第１アナログ状態についての第１のガンマ曲線を定義する初期の複数の制御点（ＣＰｓ）を記憶するように構成されたメモリと、
前記初期のＣＰｓに基づいて、前記表示パネルに関する第２アナログ状態についての計算されたＣＰｓを生成するように構成されたＣＰ計算回路部と、
選択回路部であり、
前記計算されたＣＰｓと、第２のガンマ曲線を定義する補助のＣＰｓと、画像の領域の輝度を特定するスイッチング信号と、を入力し、
前記スイッチング信号に基づいて、前記計算されたＣＰｓと、前記補助のＣＰｓと、から選択されたＣＰｓのセットを出力する、
ように構成された選択回路部と、
ガンマ曲線計算回路部であり、
前記画像の前記領域に関するデータ値を入力し、
前記ＣＰｓのセットに基づいて、出力ガンマ曲線のうち前記データ値の近傍の部位を生成し、
前記データ値と、前記出力ガンマ曲線と、に基づいて前記画像の前記領域を前記表示パネルに表示するための電圧データを出力する、
ように構成されたガンマ曲線計算回路部と、
を備える表示装置。
【請求項１８】
前記スイッチング信号が前記画像の前記領域を低輝度であると特定することに応じて、前記ＣＰｓのセットが前記計算されたＣＰｓである、
請求項１７の表示装置。
【請求項１９】
前記ＣＰ計算回路部が、
デジタルアナログ変換器（ＤＡＣ）の第１出力電圧域と、前記ＤＡＣの第２出力電圧域と、に基づいて前記初期のＣＰｓを改変することにより前記計算されたＣＰを生成するように更に構成され、
前記ＤＡＣが、前記第１アナログ状態において前記第１出力電圧域で作動するように構成され、
前記ＤＡＣが、前記第２アナログ状態において前記第２出力電圧域で作動するように構成されている、
請求項１７の表示装置。
【請求項２０】
前記ＣＰ計算回路部が、前記第１出力電圧域の第１最低電圧と、前記第２出力電圧域の第２最低電圧と、に基づいて前記初期のＣＰｓを改変することにより、前記計算されたＣＰｓを生成するように更に構成されている、
請求項１９の表示装置。
【請求項２１】
前記第１アナログ状態が、フレーム期間に対する発光期間が第１比率であることを含み、
前記表示パネルが、前記発光期間の間に発光を許可される発光素子を備え、
前記第２アナログ状態が、フレーム期間に対する前記発光期間が第２比率であることを含み、
前記ＣＰ計算回路部が、前記第１比率と前記第２比率と、に基づき、前記初期のＣＰｓを改変することで前記計算されたＣＰｓを生成するように更に構成されている、
請求項１７の表示装置。
【請求項２２】
前記ガンマ曲線計算回路部が、前記出力ガンマ曲線の前記部位を、二分検索と、ベジェ計算法と、を用いて計算するように更に構成されている、
請求項１７の表示装置。
【発明の詳細な説明】
【技術分野】
【０００１】
開示された技術は、一般には、表示パネルを制御するディスプレイドライバに関する。
【背景技術】
【０００２】
発光ダイオード（ｌｉｇｈｔ  ｅｍｉｔｔｉｎｇ  ｄｉｏｄｅ）（ＬＥＤ）ディスプレイ、有機発光ダイオード（ｏｒｇａｎｉｃ  ｌｉｇｈｔ  ｅｍｉｔｔｉｎｇ  ｄｉｏｄｅ）（ＯＬＥＤ）ディスプレイ、ブラウン管（ｃａｔｈｏｄｅ  ｒａｙ  ｔｕｂｅ）（ＣＲＴ）ディスプレイ、液晶ディスプレイ（ｌｉｑｕｉｄ  ｃｒｙｓｔａｌ  ｄｉｓｐｌａｙ）（ＬＣＤ）、プラズマディスプレイ、及び、エレクトロルミネセンス（ｅｌｅｃｔｒｏｌｕｍｉｎｅｓｃｅｎｃｅ）（ＥＬ）ディスプレイ、のような表示パネルを含む表示デバイスは、携帯電話、スマートフォン、ノートブック又はデスクトップのコンピュータ、ネットブックコンピュータ、タブレットＰＣ、電子書籍リーダー、携帯情報端末（ｐｅｒｓｏｎａｌ  ｄｉｇｉｔａｌ  ａｓｓｉｓｔａｎｔｓ）（ＰＤＡｓ）、及び、表示パネルを搭載した自家用車を含む車両、のような様々な電子システムで広く使用されている。表示パネルの表示状態は、ディスプレイドライバに制御される場合がある。ディスプレイドライバは、表示とタッチ検出の両方の機能を備えるタッチディスプレイに用いられる、例えば、タッチ・ディスプレイドライバ集積（ｔｏｕｃｈ  ａｎｄ  ｄｉｓｐｌａｙ  ｄｒｉｖｅｒ  ｉｎｔｅｇｒａｔｅｄ）（ＴＤＤＩ）回路部／チップを形成するように、タッチドライバと統合されている場合がある。
【発明の概要】
【０００３】
一般に、一側面において、１以上の実施形態はディスプレイドライバに指向される。ディスプレイドライバは、表示パネルに関する第１アナログ状態についての第１のガンマ曲線を定義する初期の複数の制御点（ＣＰｓ）を記憶するように構成されたメモリと、初期のＣＰｓに基づいて、表示パネルに関する第２アナログ状態についての計算されたＣＰｓを生成するように構成されたＣＰ計算回路部と、マルチプレクサ回路部であり、計算されたＣＰｓと、第２のガンマ曲線を定義する補助のＣＰｓと、画像の領域の輝度を特定するスイッチング信号と、を入力し、スイッチング信号に基づいて、計算されたＣＰｓと、補助のＣＰｓと、から選択されたＣＰｓを出力する、ように構成されたマルチプレクサ回路部と、ガンマ曲線計算回路部であり、画像の領域に関するデータ値を入力し、選択されたＣＰｓに基づいて、出力ガンマ曲線のうちデータ値の近傍の部位を生成し、データ値と、出力ガンマ曲線と、に基づいて画像の領域を表示パネルに表示するための電圧データを出力する、ように構成されたガンマ曲線計算回路部と、を備える。
【０００４】
一般に、一側面において、１以上の実施形態は方法に指向される。方法は、表示パネルに関する第１アナログ状態についての第１のガンマ曲線を定義する初期の複数の制御点（ＣＰｓ）を取得し、初期のＣＰｓに基づいて、表示パネルに関する第２アナログ状態についての計算されたＣＰｓを生成し、画像の領域の輝度を特定するスイッチング信号に基づいて、計算されたＣＰｓと、第２のガンマ曲線を定義する補助のＣＰｓと、からＣＰｓのセットを選択し、画像の領域に関するデータ値を取得し、ＣＰｓのセットに基づいて、出力ガンマ曲線のうちデータ値の近傍の部位を生成し、データ値と、出力ガンマ曲線と、に基づいて画像の領域を表示パネルに表示するための電圧データを出力する、ことを含む。
【０００５】
一般に、一側面において、１以上の実施形態は表示装置に指向される。表示装置は、表示パネルと、表示パネルに関する第１アナログ状態についての第１のガンマ曲線を定義する初期の複数の制御点（ＣＰｓ）を記憶するように構成されたメモリと、初期のＣＰｓに基づいて、表示パネルに関する第２アナログ状態についての計算されたＣＰｓを生成するように構成されたＣＰ計算回路部と、選択回路部であり、計算されたＣＰｓと、第２のガンマ曲線を定義する補助のＣＰｓと、画像の領域の輝度を特定するスイッチング信号と、を入力し、スイッチング信号に基づいて、計算されたＣＰｓと、補助のＣＰｓと、から選択されたＣＰｓのセットを出力する、ように構成された選択回路部と、ガンマ曲線計算回路部であり、画像の領域に関するデータ値を入力し、ＣＰｓのセットに基づいて、出力ガンマ曲線のうちデータ値の近傍の部位を生成し、データ値と、出力ガンマ曲線と、に基づいて画像の領域を表示パネルに表示するための電圧データを出力する、ように構成されたガンマ曲線計算回路部と、を備える。
【０００６】
実施形態の他の側面は、以下の詳細な説明と、付加された請求項と、から明らかになるだろう。
【図面の簡単な説明】
【０００７】
本実施形態は例として図示されており、添付された図面の態様に限定されることを意図したものではない。
【０００８】
【図１】図１は、一以上の実施形態に係る画像の例を示す図である。
【０００９】
【図２】図２は、一以上の実施形態に係るシステムのブロック図である。
【００１０】
【図３】図３は、一以上の実施形態に係る命令制御回路部のブロック図である。
【００１１】
【図４Ａ−Ｃ】図４Ａ−Ｃは、一以上の実施形態に係るガンマ曲線生成の例を示す図である。
【００１２】
【図５】図５は、一以上の実施形態に係るスイッチング信号を示す図である。
【００１３】
【図６】図６は、一以上の実施形態に係るマルチガンマ回路部を示す図である。
【００１４】
【図７Ａ】図７Ａは、一以上の実施形態に係るガンマ曲線を示す図である。
【図７Ｂ】図７Ｂは、一以上の実施形態に係るガンマ曲線を示す図である。
【００１５】
【図８】図８は、一以上の実施形態に係るディミング動作を示す図である。
【００１６】
【図９】図９は、一以上の実施形態に係る表示パネルのガンマ特性を示す図である。
【００１７】
【図１０】図１０は、一以上の実施形態に係るフローチャートを示す図である。
【発明を実施するための形態】
【００１８】
実施形態に係る以下の詳細な説明では、本開示の技術についてより完全に理解できるように、幾多の具体的な詳細が示されている。しかしながら、開示された技術が、それらについて具体的な詳細が示されていなくとも、実践され得ることが当業者には明らかであろう。他の実例では、不必要に記載を複雑にしないために、既知の構成要素は詳細に説明されていない。
【００１９】
本願を通して、序数（例えば、第１、第２、第３、等）が要素（言い換えれば、本願の如何なる名詞）の形容詞として用いられる場合がある。例えば“前“、”後“、”単一“、及び、他の同様の用語を用いて特に言及されない限り、序数の使用は要素に如何なる特定の順序を暗示あるいは作るものではなく、如何なる要素を単一の要素のみに限定するものではない。そうではなく、序数は、要素（複数）間の区別のために用いられる。一例として、第１要素は第２要素から区別される。また、要素の順序として、第１要素は第２要素に後続（あるいは先行）する場合がある。 
【００２０】
１以上の実施形態は、表示パネル用のディスプレイドライバ、ディスプレイドライバと表示パネルとを搭載した表示装置、及び、表示パネルの表示状態の改善を容易にする方法、を提供する。
【００２１】
１以上の実施形態では、画像を表示する際に、ディスプレイドライバは、画像のうち異なる領域について異なるガンマ曲線を用いる。ガンマ曲線は画像データを電圧データにマップする。また、電圧データは、表示パネルを駆動するアナログ電圧信号を生成するために用いられ得る。領域は如何なる形状、如何なるサイズであっても良い。領域は、単一のピクセルに対応する場合がある。そのため、ディスプレイドライバはガンマ曲線をピクセル単位で選択し得る。１以上の領域のガンマ曲線は、他の領域のガンマ曲線が時間と共に変更される場合でも、時間の経過に対して一定に保たれ得る。加えて、あるいはこれに代えて、異なる領域のガンマ曲線は、異なる時刻に、及び／又は、異なる理由で、変更される場合がある。
【００２２】
図１は、１以上の実施形態に係る画像（１００）を示す。画像（１００）は、１以上の低輝度領域（例えば、低輝度領域（１２０））と、１以上の高輝度領域（例えば、高輝度領域（１１０））と、を含む場合がある。ここでは２種類の輝度領域のみが示されているが、他の実施形態では、３種類以上の輝度領域（例えば、低輝度領域、中輝度領域、高輝度領域、等）が存在する。高輝度領域（１１０）が一つのガンマ曲線を用いて表示される一方で、低輝度領域（１２０）は異なるガンマ曲線を用いて表示される。
【００２３】
図２は、１以上の実施形態に係るシステム（２００）のブロック図である。システム（２００）は、表示パネル（２０５）と、表示パネル（２０５）に電気的に接続されたディスプレイドライバ（２２０）と、を備える。ディスプレイドライバ（２２０）は、プロセッシングデバイス（２１０）から受信した画像データ、及び／又は、制御命令に応答して、表示パネル（２０５）を駆動する。プロセッシングデバイス（２１０）は、アプリケーションプロセッサ、及び／又は、中央演算装置（ｃｅｎｔｒａｌ  ｐｒｏｃｅｓｓｉｎｇ  ｕｎｉｔ）（ＣＰＵ）、といったプロセッサを含む場合がある。
【００２４】
１以上の実施形態では、表示パネル（２０５）は、液晶ディスプレイ（ｌｉｑｕｉｄ  ｃｒｙｓｔａｌ  ｄｉｓｐｌａｙ）（ＬＣＤ）である場合がある。加えて、あるいはこれに代えて、表示パネル（２０５）は、有機発光ダイオード（ｏｒｇａｎｉｃ  ｌｉｇｈｔ  ｅｍｉｔｔｉｎｇ  ｄｉｏｄｅ）（ＯＬＥＤ）であっても良い。表示パネル（２０５）は、薄膜トランジスタ（ｔｈｉｎ  ｆｉｌｍ  ｔｒａｎｓｉｓｔｏｒｓ）（ＴＦＴｓ）、及び、ｎ型又はｐ型の金属酸化膜半導体電界効果トランジスタ（ｍｅｔａｌ−ｏｘｉｄｅ−ｓｅｍｉｃｏｎｄｕｃｔｏｒ ｆｉｅｌｄ−ｅｆｆｅｃｔ  ｔｒａｎｓｉｓｔｏｒｓ）（ＭＯＳＦＥＴｓ）のような、格子状のパターンで配列されたスイッチ素子で構成されたピクセルを含み得る。スイッチ素子（すなわち、ピクセル）は、ディスプレイドライバ（２２０）からの駆動信号に応答して、個々にピクセルのオン／オフを切り替えられるように、ゲートラインと、データラインと、に接続され得る。
【００２５】
一以上の実施形態では、ディスプレイドライバ（２２０）は、命令制御回路部（２２２）、タイミング制御回路部（２２４）、ゲートライン駆動回路部（２２９）、デジタルアナログ変換器（Ｄｉｇｉｔａｌ  ｔｏ  Ａｎａｌｏｇ  Ｃｏｎｖｅｒｔｅｒ）（ＤＡＣ）（２２７）を含むデータライン駆動回路部（２２８）、及び、ガンマ曲線計算回路部（２２６）を備える。これらの構成要素（２２２、２２４、２２６、２２７、２２８、２２９）はそれぞれ、ハードウェアとソフトウェアの如何なる組合せによっても実装され得る。一つの実施形態では、ディスプレイドライバ（２２０）は、ディスプレイドライバ集積回路（ｉｎｔｅｇｒａｔｅｄ  ｃｉｒｃｕｉｔ）（ＩＣ）である。１以上の実施形態では、命令制御回路部（２２２）は、タイミング制御回路部（２２４）に、ゲートライン駆動回路部（２２９）が表示パネル（２０５）のゲートラインを駆動するタイミングを制御させ、データライン駆動回路部（２２８）が表示パネル（２０５）のデータラインを駆動するタイミングを制御させる。
【００２６】
図示されていないが、ディスプレイドライバ（２２０）は、例えば、タッチ・ディスプレイドライバ集積(ＴＤＤＩ）回路部／チップを構成するように、タッチドライバと統合されている場合がある。表示パネル（２０５）は、表示とタッチ検出の両方の機能を持ち得る。
【００２７】
１以上の実施形態では、ガンマ曲線計算回路部（２２６）は、複数のガンマ曲線を生成し、そして、領域についての画像データを当該領域に適したガンマ曲線に当てはめることで、電圧データを出力する。いくつかの実施形態では、ガンマ曲線計算回路部（２２６）は、画像のうち異なる輝度の領域について異なるガンマ曲線を生成する。１以上の実施形態では、ＤＡＣ（２２７）は、電圧データに基づいて、表示パネル（２０５）を駆動するアナログ電圧信号を生成する場合がある。ＤＡＣ（２２７）の出力は、ガンマ曲線計算回路部（２２６）に供給された電圧データによって制御される場合がある。
【００２８】
１以上の実施形態では、システム（２００）は、異なるアナログ状態（例えば、アナログ状態Ａ、アナログ状態Ｂ、アナログ状態Ｃ、等）で作動する。アナログ状態の少なくとも一つの属性は、ＤＡＣ（２２７）の出力電圧域（例えば、ＤＡＣの最低電圧）である。言い換えると、異なるアナログ状態では、表示パネル（２０５）を駆動するために、異なるＤＡＣ（２２７）の出力電圧域が用いられ得る。画像のうち高輝度領域で高輝度を達成するために、より大きい出力電圧域が必要となる場合がある。
【００２９】
１以上の実施形態では、アナログ状態の一属性は、エミッションパルスのデューティー比（“エミッション”）である。言い換えると、異なるアナログ状態では、異なるエミッションが指定され得る。エミッションは、フレーム期間に対する発光期間の比率を制御する。ここで、発光期間は、その期間内で表示パネル（２０５）の発光素子が発光を許される期間である。エミッションが１００％である場合に、発光素子が各フレーム期間のうち許容される最大の時間発光するため、表示輝度のレベルが最大まで上昇する。このように、エミッションは、表示パネル（２０５）に表示される画像の輝度全体を制御するパラメータである。
【００３０】
図３は、１以上の実施形態に係る命令制御回路部（３２２）のブロック図である。命令制御回路部（３２２）は、図２を参照して議論した命令制御回路部（２２２）に対応する場合がある。図３に示すように、命令制御回路部（３２２）は、制御点輝度ルックアップテーブル（ｌｏｏｋ−ｕｐ  ｔａｂｌｅ）（ＬＵＴ）（３０５）と、マルチガンマ回路部（３１０）と、を含む複数のコンポーネントを有する。これらの構成要素（３０５、３１０）はそれぞれ、ハードウェア及びソフトウェアのいかなる組み合わせに対応し得る。
【００３１】
１以上の実施形態では、図３に示すように、マルチガンマ回路部（３１０）は、ガンマ曲線を定義する、ある数（例えば、３個、８個、１１個、等）の制御点をガンマ曲線計算回路部（２２６）に出力する。例えば、異なるセットの制御点は異なるガンマ曲線を定義する。ガンマ曲線計算回路部（２２６）は、ガンマ曲線の全体、又は、一部を生成するために制御点を用いる場合がある。そして、ガンマ曲線は、入力された画像データ（例えば、ＸＩＮ）に基づいて電圧データを出力するために用いられる場合がある。１以上の実施形態では、ガンマ曲線回路部（２２６）は、二分探索とベジェ計算法とを用いてガンマ曲線を計算する。
【００３２】
図４Ａ（Ｆｉｇ．４Ａ）、図４Ｂ（Ｆｉｇ．４Ｂ）、及び、図４Ｃ（Ｆｉｇ．４Ｃ）は、１以上の実施形態に係るガンマ曲線生成の例を示す。具体的には、これは二分探索及びベジェ曲線法の例である。この例では、ガンマ曲線計算回路部（２２６）は、マルチガンマ回路部（３１０）から受信したＣＰｓ（ｃｏｎｔｒｏｌ  ｐｏｉｎｔｓ）のうちから３点の制御点（Ａ０，Ｂ０，Ｃ０）を選択する。１以上の実施形態では、ＣＰｓの選択は、画像データに記述されたグレースケール値と、ＣＰｓのＸ座標と、に基づく。１以上の実施形態では、ガンマ曲線計算回路部（２２６）は、入力された画像データに記述されたグレースケール値に最も近いＸ座標を有する３点のＣＰｓを選択する。ＡＸ０及びＡＹ０は、それぞれ、制御点Ａ０のＸ座標及びＹ座標である。さらに、ＢＸ０及びＢＹ０は、それぞれ、制御点Ｂ０のＸ座標及びＹ座標である。さらにその上、ＣＸ０及びＣＹ０は、それぞれ、制御点Ｃ０のＸ座標及びＹ座標である（図４Ａ）。
【００３３】
１以上の実施形態では、出力電圧データは、後述する中点を取得する計算を繰り返すことで計算される。反復する計算の一ユニットは以下、中点計算と表記される場合がある。３点の制御点のうち隣在する２点の制御点間の中点は、一次中点と表記される場合がある。また、２点の一次中点間の中点は、二次中点と表記される場合がある。
【００３４】
第１の中点計算（図４Ｂ）において、Ａ０及びＢ０間の一次中点ｄ０と、Ｂ０及びＣ０間の一次中点ｅ０と、が取得される。さらに、ｄ０及びｅ０間の二次中点ｆ０が取得される。二次中点ｆ０は、所望のガンマ曲線（すなわち、制御点Ａ０、Ｂ０、及び、Ｃ０の３点に定義される第２のベジェ曲線）上に位置する。このとき、二次中点ｆ０の座標は以下の式であらわされる。
【００３５】
Xf0 = (AX0 + 2BX0 + CX0) / 4
【００３６】
Yf0 = (AY0 + 2BY0 + CY0) / 4
【００３７】
次の中点計算（第２の中点計算）に使用される３点の制御点Ａ１、Ｂ１、及び、Ｃ１が、入力データＸＩＮと、二次中点ｆ０のＸ座標値Ｘｆ０と、の比較結果に依存して、点Ａ０、一次中点ｄ０、二次中点ｆ０、一次中点ｅ０、及び、点Ｂ０、のうちから選択される。例えば、Ａ１、Ｂ１、及び、Ｃ１が次に示すように選択される。
【００３８】
（Ａ）  Ｘｆ０≧Ｘ＿ＩＮの場合、より小さいＸ座標値を有する３点（左側の３点）、すなわち、点Ａ０、一次中点ｄ０、及び、二次中点ｆ０が、Ａ１、Ｂ１、及び、Ｃ１として選択される（すなわち、Ａ１＝Ａ０、Ｂ１＝ｄ０、Ｃ１＝ｆ０）。
【００３９】
（Ｂ）  Ｘｆ０＜Ｘ＿ＩＮの場合、より大きいＸ座標値を有する３点（右側の３点）、すなわち、二次中点ｆ０、一次中点ｅ０、及び、点Ｃ０が、Ａ１、Ｂ１、及び、Ｃ１として選択される（すなわち、Ａ１＝ｆ０、Ｂ１＝ｅ０、Ｃ１＝Ｃ０）。
【００４０】
第２の中点計算（図４Ｃ）が、同じプロシージャにより実行される。点Ａ１、Ｂ１、及び、Ｃ１について、Ａ１及びＢ１間の一次中点ｄ１と、Ｂ１及びＣ１間の一次中点ｅ１が取得される。その後、一次中点ｄ１及び一次中点ｅ１間の二次中点ｆ１が取得される。二次中点ｆ１は、所望のガンマ曲線上に位置する。その後、点Ａ１、一次中点ｄ１、二次中点ｆ１、一次中点ｅ１、及び、点Ｂ１のうちから、入力データ（Ｘ＿ＩＮ）と、二次中点ｆ１のＸ座標値Ｘｆ１と、の比較結果に依存して、３点の制御点Ａ２、Ｂ２、及び、Ｃ２が次の中点計算（第３の中点計算）に用いられるために選択される。
【００４１】
その後、あらかじめ定められた回数、中点計算が同じプロシージャによって繰り返される。第ｉの中点計算において、以下の計算が実行される。
（Ａ）（ＡＸｉ−１＋２ＢＸｉ−１＋ＣＸｉ−１）／４≧Ｘ＿ＩＮ  となる場合、
ＡＸｉ＝ＡＸｉ−１                                  …（２ａ）
ＢＸｉ＝（ＡＸｉ−１＋ＢＸｉ−１）／２                …（３ａ）
ＣＸｉ＝（ＡＸｉ−１＋２ＢＸｉ−１＋ＣＸｉ−１）／４    …（４ａ）
ＡＹｉ＝ＡＹｉ−１                                  …（５ａ）
ＢＹｉ＝（ＡＹｉ−１＋ＢＹｉ−１）／２                …（６ａ）
ＣＹｉ＝（ＡＹｉ−１＋２ＢＹｉ−１＋ＣＹｉ−１）／４    …（７ａ）
（Ｂ）（ＡＸｉ−１＋２ＢＸｉ−１＋ＣＸｉ−１）／４＜Ｘ＿ＩＮ  となる場合、
ＡＸｉ＝（ＡＸｉ−１＋２ＢＸｉ−１＋ＣＸｉ−１）／４    …（２ｂ）
ＢＸｉ＝（ＢＸｉ−１＋ＣＸｉ−１）／２                …（３ｂ）
ＣＸｉ＝ＣＸｉ−１                                  …（４ｂ）
ＡＹｉ＝（ＡＹｉ−１＋２ＢＹｉ−１＋ＣＹｉ−１）／４    …（５ｂ）
ＢＹｉ＝（ＢＹｉ−１＋ＣＹｉ−１）／２                …（６ｂ）
ＣＹｉ＝ＣＹｉ−１                                  …（７ｂ）
【００４２】
上記では、式がＸ＿ＩＮより大きいか等しい（すなわち、≧Ｘ＿ＩＮ）場合に条件（Ａ）が満たされることが示されている。１以上の実施形態では、条件（Ａ）は式がＸ＿ＩＮを超える（すなわち、＞Ｘ＿ＩＮ）場合にのみ満たされ、一方で式がＸ＿ＩＮより小さいか等しい（すなわち、≦Ｘ＿ＩＮ）の場合に条件（Ｂ）の要件が満たされる。
【００４３】
中点計算が実行される度に、制御点Ａ１、Ｂ１、及び、Ｃ１はガンマ曲線に接近する。また、制御点Ａｉ、Ｂｉ、及び、ＣｉのＸ座標値が入力データに接近する。最終的に計算されるべき出力電圧データは、第Ｎの中点計算により取得されたＡＮ、ＢＮ、及び、ＣＮのＹ座標値のうち少なくとも１つから取得され得る。例えば、点ＡＮ、ＢＮ、ＣＮのうちから任意に選択された１点のＹ座標値が、出力電圧データとして選択され得る。これに代えて、ＡＮ、ＢＮ、及び、ＣＮのＹ座標値の平均値が出力電圧データとして選択されても良い。
【００４４】
中点計算の回数（Ｎ）は、入力データのビット数と同じ、又は、これより大きい場合がある。１以上の実施形態では、入力データがＮビットのデータである場合に、中点計算はＮ回又はそれ以上の回数、実行される。この場合、第Ｎの中点計算の後、点ＡＮ及びＣＮのＸ座標の差は１になり、点ＡＮとＣＮのＸ座標のうちいずれか一つが入力データと一致する。その時、点ＢＮのＸ座標もまた、点ＡＮとＣＮのＸ座標のうち一つと一致する。そのため、１以上の実施形態において、出力電圧データ（Ｙ＿ＯＵＴ）は以下のように選択される。
（ａ）Ｘ＿ＩＮ＝ＡＸＮ  の場合、
Ｙ＿ＯＵＴ＝ＡＹＮ
（ｂ）Ｘ＿ＩＮ＝ＣＸＮ  の場合、
Ｙ＿ＯＵＴ＝ＣＹＮ
【００４５】
図３に戻って、１以上の実施形態では、制御点輝度ＬＵＴ（３０５）は、ガンマ形状、デジタルガンマの最高電圧、アナログガンマの最高電圧、エミッションパルス、及び、電源電圧（ＶＤＤ）、のような特定の輝度レベルに関する輝度制御のための情報を記憶する。１以上の実施形態では、制御点輝度ＬＵＴ（３０５）は、各セットがガンマ曲線を定義する制御点の複数セットと、ＤＡＣ（２２７）の出力電圧域の最高及び最低電圧と、“エミッション”（又は、エミッションパルスの許容デューティー比）と、を記憶する。制御点輝度ＬＵＴ（３０５）は、（例えば、画像のプロセッシングデバイス（２１０）から）輝度情報を受信すると、所望のガンマ曲線の制御点のセットを、マルチガンマ回路部（３１０）に出力し得る。
【００４６】
１以上の実施形態では、制御点輝度ＬＵＴ（３０５）は、受信した輝度情報に関するアナログ設定をもまたマルチガンマ回路部（３１０）に出力する。１以上の実施形態では、アナログ設定は、ＤＡＣ（２２７）の出力電圧域の最高及び最低電圧と、エミッションと、を含む。
【００４７】
１以上の実施形態では、マルチガンマ回路部（３１０）は、マルチガンマモード信号を入力する。有効な場合、マルチガンマモード信号は、画像のうち異なる領域が異なるガンマ曲線を用いて表示され得ること、及び、少なくとも１つのガンマ曲線（例えば、画像のうち低輝度領域に対応するガンマ曲線）が、アナログ状態の変更にもかかわらず低輝度画像領域を所望の輝度に保つように調整される必要があり得ることを、マルチガンマ回路部（３１０）に示す。マルチガンマモード信号は、初期の（複数の）制御点と、１以上の輝度領域に関するガンマ曲線についての計算された（複数の）制御点と（下記で議論する）、をマルチガンマ回路部（３１０）が記憶するトリガーにもなり得る。
【００４８】
１以上の実施形態では、マルチガンマ回路部（３１０）はスイッチング信号を入力する。スイッチング信号は、画像データＸＩＮに関する領域の輝度（例えば、ガンマ曲線計算回路部（２２６）に現在供給されている画像データに関する領域の輝度）を特定し得る。スイッチング信号のＨＩＧＨ値は、画像領域が高輝度領域であることを示す場合がある。スイッチング信号のＬＯＷ値は、画像領域が低輝度領域であることを示す場合がある。１以上の実施形態では、マルチガンマ回路部により選択及び出力される制御点（よって、ガンマ曲線計算回路部（２２６）により生成されるガンマ曲線）は、画像領域が高輝度又は低輝度の何れに特定されているかに依存している。
【００４９】
図５は、１以上の実施形態に係る、マルチガンマ回路部（３１０）に供給されるスイッチング信号の例を示す。図５は、図１からの画像（１００）のレプリカを含む。更に、図５は、ラインＡＡ＃（５０２）についてのスイッチング信号と、ラインＢＢ＃（５０４）についてのスイッチング信号と、を示す。ラインＡＡ＃のうち高輝度領域（１１０）を横切る部位については、ラインＡＡ＃（５０２）についてのスイッチング信号がＨＩＧＨ状態となる。同様に、ラインＡＡ＃のうち低輝度領域（１２０）を横切る部位については、ラインＡＡ＃（５０２）についてのスイッチング信号がＬＯＷ状態となる。ラインＢＢ＃のうち高輝度領域（１１０）を横切る部位については、ラインＢＢ＃（５０４）についてのスイッチング信号がＨＩＧＨ状態となる。同様に、ラインＢＢ＃のうち低輝度領域（１２０）を横切る部位については、ラインＢＢ＃（５０４）についてのスイッチング信号がＬＯＷ状態となる。
【００５０】
図６は、１以上の実施形態に係るマルチガンマ回路部（６００）のブロック図を示す。マルチガンマ回路部（６００）は、図３を参照して上記で議論されたマルチガンマ回路部（３１０）に対応する場合がある。図６に示すように、マルチガンマ回路部は、メモリ（６２０）と、制御点（ｃｏｎｔｒｏｌ  ｐｏｉｎｔ）（ＣＰ）計算回路部（６３０）と、マルチプレクサ（６４０）と、を備える。これらの構成要素（６２０、６３０、６４０）はそれぞれ、ハードウェアとソフトウェアとの如何なる組合せによって実装され得る。
【００５１】
１以上の実施形態では、マルチプレクサ（６４０）は、補助の（複数の）制御点（６５２）と、計算された（複数の）制御点（６５４）と、のうちからスイッチング信号に基づいて選択する。いくつかの実施形態では、スイッチング信号がＬＯＷの場合、画像領域が低輝度であることを示しているので、マルチプレクサ（６４０）は、計算された制御点（６５４）を出力として選択する。スイッチング信号がＨＩＧＨの場合、画像領域が高輝度であることを示しているので、マルチプレクサ（６４０）は、補助の制御点（６５２）を出力として選択する。補助の制御点（６５２）は、図３を参照して上記で議論された制御点輝度ＬＵＴ（３０５）により供給され得る。計算された（複数の）制御点（６５４）は、ＣＰ計算回路部（６３０）により供給され得る。１以上の実施形態では、選択された制御点（すなわち、計算された制御点、又は、補助の制御点）はガンマ曲線計算回路部（２２６）に出力される。ガンマ曲線計算回路部（２２６）は選択された制御点をガンマ曲線の生成に用いる。
【００５２】
１以上の実施形態では、メモリ（６２０）は、（複数の）初期の制御点（６５６）の１セットを記憶する。初期の制御点（６５６）は、図３を参照して上記で議論された制御点輝度ＬＵＴ（３０５）により供給され得る。いくつかの実施形態では、マルチガンマモード信号がＨＩＧＨ状態になるとき、このことが、メモリ（６２０）が初期の制御点（６５６）を記憶するトリガーとなる。メモリ（６２０）は、すでにメモリ（６２０）に記憶されている如何なる既存の制御点を、初期の制御点に置き換え得る。当該メモリは、フリップフロップの１セット（例えば、１３個のフリップフロップ）として実装され得る。
【００５３】
１以上の実施形態では、ＣＰ計算回路部（６３０）は、（複数の）計算された（複数の）制御点（６５４）を初期の（複数の）制御点（６５６）から生成する。１以上の実施形態では、ＣＰ計算回路部（６３０）は、初期の制御点（６５６）を改変することで、計算された制御点（６５４）を生成する。計算された制御点（６５４）は、ＣＰ計算回路部（６３０）が次の２種類の計算を初期の制御点（６５６）に対して実行した結果であり得る。（ｉ）電圧計算、及び、（ｉｉ）輝度計算（両方の種類について、後に議論する）。表示パネル（２０５）が、発光表示パネル（例えば、ＯＬＥＤ）である場合、そのときは電圧計算と輝度計算の両方が実行される。表示パネル（２０５）がバックライトを備えている場合（例えば、ＬＣＤ）、輝度計算のみ実行される必要がある。
【００５４】
電圧計算
【００５５】
１以上の実施形態では、初期の（複数の）制御点（６５４）は、ディスプレイドライバ（２２０）がアナログ状態（複数）のうち一つ（例えば、アナログ状態Ａ）で作動している場合の、低輝度画像領域についての初期のガンマ曲線を定義する。上記で議論したように、ＤＡＣの出力電圧域は、アナログ状態Ａの属性の一つであり得る。
【００５６】
１以上の実施形態では、ディスプレイドライバ（２２０）がＤＡＣの出力電圧域が異なる別のアナログ状態（例えば、アナログ状態Ｂ）での作動を開始する場合に、低輝度領域を所望の輝度に保つため、低輝度領域についての初期のガンマ曲線を（例えば、同じ画像データについてはＤＡＣからの出力電圧も同一の結果となることを保証するように）調整することが必要となる場合がある。１以上の実施形態では、初期の（複数の）制御点のｙ軸を調整することにより、初期のガンマ曲線が調整される（下記で議論する）。
【００５７】
図７Ａは、１以上の実施形態に係る初期のガンマ曲線（７０３）を示す。ここで、初期のガンマ曲線（７０３）は、入力された画像データを電圧データにマップする。また、初期のガンマ曲線（７０３）は初期の（複数の）制御点（７０２）により定義される。アナログ状態Ａにおいて、ＤＡＣ（２２７）の出力は、ＤＡＣの最高電圧ＶＴ１からＤＡＣの最低電圧ＶＢ１に及ぶ。ＣＰＡ、ＣＰＢ、及び、ＣＰＣは初期の制御点（７０２）のうちの３点である。ｙＣＰＡ、ｙＣＰＢ、及び、ｙＣＰＣは、順に、ＣＰＡ、ＣＰＢ、及び、ＣＰＣのｙ座標である。初期のガンマ曲線（７０３）は、画像データｘ１を電圧データｙ１にマップする。アナログ状態Ａにおいて、ＤＡＣ（２２７）は、電圧データｙ１の入力に応答して、ＶＴ１とＶＢ１の間の値をとるアナログ電圧信号Ｖｓを出力する。
【００５８】
図７Ｂでは、ディスプレイドライバ（２２０）が、現在アナログ状態Ｂで作動している。１以上の実施形態では、アナログ状態Ｂにおいて、ＤＡＣ（２２７）の出力はＤＡＣの最高電圧ＶＴ１からＤＡＣの新たな最低電圧ＶＢ２に及ぶ。調整されたガンマ曲線（７１０）が、計算された（複数の）制御点（７０４）により定義される。計算された制御点（７０４）と、初期の（複数の）制御点（７０２）と、は同じｘ座標を有するが、ｙ座標は異なる。計算された制御点（７０４）それぞれのｙ座標（例えば、ＣＰＡ＃、ＣＰＢ＃、ＣＰＣ＃）は、対応する初期の制御点のｙ座標を比率Ｒでスケーリングすることにより決定され得る。比率Ｒは、（ＤＡＣの最高電圧―ＤＡＣの最低電圧）／（ＤＡＣの最高電圧―ＤＡＣの新たな最低電圧）、と定義され得る。図７Ｂに示すように、調整されたガンマ曲線（７１０）は、同じ画像データｘ１を、異なる電圧データｙ２（すなわち、ｙ１≠ｙ２）にマップする。いくつかの実施形態では、ＤＡＣ（２２７）は、画像データｘ１に対して、依然として同一のアナログ電圧信号Ｖｓを出力する。これに応じて、ＤＡＣ出力電圧域の変更が行われたにも関わらず、低輝度画像領域について所望の輝度が保たれ得る。
【００５９】
輝度計算
【００６０】
上記で議論されたように、１以上の実施形態では、初期の（複数の）制御点（６５４）は、ディスプレイドライバ（２２０）がアナログ状態（複数）のうち一つ（例えば、アナログ状態Ａ）で作動している場合の、低輝度画像領域についての初期のガンマ曲線を定義する。上記で議論されたように、アナログ状態Ａは、エミッションを特定し得る。また、エミッションは、表示パネル（２０５）上に表示される画像の輝度全体を制御する一パラメータである。
【００６１】
１以上の実施形態では、ディスプレイドライバ（２２０）が、エミッションが異なる別のアナログ状態（例えば、アナログ状態Ｂ）で作動し始めた場合に、エミッションの変化を相殺又は補償し、低輝度領域を所望の輝度に保つ（すなわち、エミッションが変更する前に存在していた低輝度領域の輝度を保つ）ため、初期のガンマ曲線を調整することが必要となる場合がある。このことは、初期の（複数の）制御点のｘ座標を調整することにより、初期のガンマ曲線を調整することを含む場合がある（下記で議論する）。この調整は、ＤＡＣの出力域の如何なる変更に対して独立に実行され得る。
【００６２】
図９は、表示パネルのガンマ特性（９００）を示す。表示パネルのガンマ特性は、サブピクセルの輝度レベル（縦軸）と、画像データについてのグレースケール値（横軸）と、の関係である。ＯＬＥＤの表示パネルについては、サブピクセルの輝度は、発光素子から発される光の輝度に対応する。ＬＣＤパネルについては、サブピクセルの輝度レベルは、サブピクセルの透過率に対応する。
【００６３】
１以上の実施形態では、ガンマ特性（９００）はｙ＝ｘ＾γと表現し得る。ここで、γはガンマ値（例えば、γ＝２．２）である。１以上の実施形態では、エミッションの変更があったときに、エミッションのこの変更を補償又は相殺して、低輝度画像領域について所望の輝度を保つことは、初期の（複数の）制御点（６５６）のｘ座標をＡ＝ｐ＾（１／γ）で乗算することで成し遂げられる場合がある。ここで、ｐ＝（新たなエミッション）／（元のエミッション）である。初期の制御点（６５６）がセーブされた場合に、及び／又は、マルチガンマモード信号が有効であった場合には、新たなエミッションはアナログ状態Ｂのエミッションであり、元のエミッションはアナログ状態Ａのエミッションである。Ａ＞１の場合には、低輝度画像領域の輝度を保つように、初期のガンマ曲線は水平方向に拡大される。Ａ＜１の場合には、低輝度画像領域の輝度を保つように、初期のガンマ曲線は水平方向に縮小される。初期のガンマ曲線を拡大又は縮小することは、エミッションの変更を補償する。
【００６４】
図８は、１以上の実施形態に係る、複数のガンマ曲線を用いた、画像についてのディミング動作を示す。初期の（複数の）制御点（８０２）は、低輝度画像領域についての初期のガンマ曲線を定義し得る。計算された（複数の）制御点（８０４）は、初期の制御点（８０２）から生成され、低輝度画像領域のために調整されたガンマ曲線を（図７Ａと図７Ｂと同様に）定義し得る。いくつかの実施形態では、計算された制御点（８０４）は、時間が経過しても変化しない。計算された制御点（８０４）は、図６を参照して上記で議論された、計算された制御点（６５４）に対応する場合がある。
【００６５】
図８は、１以上の実施形態における、時刻ｔ１における補助の（複数の）制御点（８０６）の第１のセットと、時刻ｔ２における補助の（複数の）制御点（８０８）の第２のセットと、を更に示す。いくつかの実施形態では、時間の経過によって、補助の制御点は変化し、計算された（複数の）制御点（８０４）は変化しない。補助の制御点の各セットは、画像の高輝度領域についてのガンマ曲線を定義する。例えば、異なる時刻において、高輝度画像領域（複数）について異なるガンマ曲線（複数）が存在し得る。異なる時刻において補助の制御点を選択することにより、低輝度画像領域が一定に保たれる一方、高輝度画像領域はディミングされ得る。 
【００６６】
図１０は、１以上の実施形態に係るフローチャートを示す。図１０のフローチャートは、１以上の実施形態に係るディスプレイドライバの処理についての方法を示す。図１０のステップのうち１以上は、図３及び６を参照して上記で議論された、ディスプレイドライバ（２２０）の構成要素によって実行され得る。１以上の実施形態において、図１０の１以上のステップは、省略、反復、及び／又は、図１０で示された順序とは異なる順で実行され得る。いくつかのステップは並列に実行され得る。これに応じて、本発明の範囲は、図１０で示された特定のステップの配列に限定されると解釈されてはならない。
【００６７】
ステップ１００５において、初期の（複数の）制御点が取得される。初期の制御点は、ディスプレイドライバがアナログ状態（複数）のうち一つ（例えば、アナログ状態Ａ）で作動しているときの、低輝度画像領域につての初期のガンマ曲線を定義し得る。ＤＡＣの電圧出力域と、エミッションと、の両方が、アナログ状態Ａの属性であり得る。初期のガンマ曲線は、アナログ状態ＡにおけるＤＡＣの電圧出力域及びエミッションを考慮した場合に、画像のうち低輝度領域について所望の輝度を達成する。初期のガンマ曲線は、画像データを電圧データにマップする。ＤＡＣは、その後、電圧データに基づいて（表示パネルを駆動するための）アナログ電圧信号を出力し得る。
【００６８】
ステップ１０１０において、初期の（複数の）制御点がセーブされる。初期の制御点は、マルチガンマモード信号が有効にされたことに応答してセーブされ得る。マルチガンマモード信号は、システム（２００）が、アナログ状態Ａとは異なるＤＡＣの出力電圧域、及び／又は、異なるエミッションを有する別のアナログ状態（例えば、アナログ状態Ｂ）で作動を開始する直前に有効にされ得る。現在のアナログ状態の属性もまたセーブされ得る。
【００６９】
ステップ１０１５において、計算された（複数の）制御点が初期の（複数の）制御点から生成される。計算された制御点は調整されたガンマ曲線を定義する。調整されたガンマ曲線は、ＤＡＣの出力電圧域の変更、及び／又は、エミッションの変更にもかかわらず（すなわち、アナログ状態の変更にもかかわらず）、低輝度画像領域について所望の輝度を保つ。ＤＡＣの出力電圧域の変更については、計算された制御点のｙ座標が、初期の制御点のｙ座標を（上述したように）比率に基づきスケーリングすることで取得され得る。エミッションの変更については、計算された制御点のｘ座標が、初期の制御点のｘ座標を（上述したように）ガンマ値に基づきスケーリングすることで取得され得る。
【００７０】
ステップ１０２０において、補助の（複数の）制御点が取得される。補助の制御点は、高輝度画像領域を表示するために用いる補助のガンマ曲線を定義する。補助の制御点は時間経過に伴い変化する場合があり、これにより高輝度画像領域についてのガンマ曲線が変化し得る。ステップ１０２０は、先行するステップの１以上と並列に実行され得る。
【００７１】
ステップ１０２５において、計算された（複数の）制御点又は補助の（複数の）制御点が選択される。この選択は、表示パネル上に現在描写されている（又は、描写されようとしている）画像領域の輝度を特定するスイッチング信号に基づく。スイッチング信号が、画像領域が高輝度を有することを示している場合、補助の制御点が選択される。スイッチング信号が、画像領域が低輝度を有することを示している場合、計算された制御点が選択される。
【００７２】
ステップ１０３０において、選択された（複数の）制御点に基づいてガンマ曲線が生成される。ガンマ曲線は、二分検索とベジェ計算法と、を用いて生成され得る。上記で議論したように、制御点は画像領域が高輝度又は低輝度の何れであるかに基づいて選択される。これに応じて、異なるガンマ曲線が異なる輝度の画像領域に用いられる。これにより、高輝度を有する画像領域については時間と共に変わるガンマ曲線（複数）を含む異なるガンマ曲線を（例えば、ディミングする構成を実装するために）用いる一方で、低輝度を有する画像領域には一定のガンマ曲線を用いることが可能になる。
【００７３】
このように、ここに記載された実施形態及び例は、本願発明とその特定の用途を最良に説明し、それにより当業者にとって本願発明を製造及び使用を可能にすることを目的として提示された。しかしながら、当業者は、前述の説明および例が、例解及び例示のみを目的として提示されたことを認識するだろう。ここに記載された説明は、網羅的であること、又は、本願発明を開示された正確な形態に限定することを意図していない。
【００７４】
本願発明を限られた数の実施形態について説明されたが、当業者は、本開示のお陰で、ここで開示された発明の範囲を逸脱しない他の実施形態が考案可能であることを認識し得る。したがって、本発明の範囲は、添付の特許請求の範囲によってのみ制限されるべきである。
【図１】
2021503616.tif 000003
【図２】
2021503616.tif 000004
【図３】
2021503616.tif 000005
【図４Ａ−Ｃ】
2021503616.tif 000006
【図５】
2021503616.tif 000007
【図６】
2021503616.tif 000008
【図７Ａ】
2021503616.tif 000009
【図７Ｂ】
2021503616.tif 000010
【図８】
2021503616.tif 000011
【図９】
2021503616.tif 000012
【図１０】
2021503616.tif 000013
【国際調査報告】
2021503616.tif 000014
2021503616.tif 000015